(57)【要約】【課題】  筐体の内面に位置決め凸部を一体形成するものにおいて、筐体の成形時に外観不良を生じさせることなく、位置決め凸部の強度を高め、落下時などの破断を防止する。【解決手段】  内蔵フレーム３８に形成される位置決め凹部３８ｃと、上カバー３２の内面に一体形成される位置決め凸部３２ｄとの嵌合によって、上カバー３２と内蔵フレーム３８の位置決めを行うにあたり、位置決め凸部３２ｄを箱形などのリブで形成する。  また、応力集中を緩和するために、位置決め凸部３２ｄをネジ固定部Ｂの近傍に配置する。  また、組立性を向上させるために、位置決め凸部３２ｄを構成するリブの先端に、位置決め凹部３８ｃとの嵌合をガイドする曲面又は斜面を形成する。【選択図】  図５
2006086220.tif 000002
【特許請求の範囲】
【請求項１】
筐体に組み込まれる組込み部材を、前記筐体に対して位置決めするための位置決め構造であって、
前記組込み部材に形成される位置決め凹部と、
前記筐体の内面に一体形成され、前記位置決め凹部との嵌合により前記組込み部材を位置決めする位置決め凸部とを有し、
当該位置決め凸部がリブで形成される
ことを特徴とする位置決め構造。
【請求項２】
前記位置決め凸部が、少なくとも二方向に連続するリブで形成されることを特徴とする請求項１記載の位置決め構造。
【請求項３】
前記位置決め凸部が、無端状に連続するリブで形成されることを特徴とする請求項１又は２記載の位置決め構造。
【請求項４】
前記位置決め凸部が、少なくとも前記組込み部材を前記筐体に固定するネジ固定部の近傍に配置されることを特徴とする請求項１〜３のいずれかに記載の位置決め構造。
【請求項５】
前記リブの先端部に、前記位置決め凹部との嵌合をガイドする曲面又は斜面が形成されることを特徴とする請求項１〜４のいずれかに記載の位置決め構造。
【請求項６】
筐体に組み込まれる組込み部材を、前記筐体に対して位置決めするための位置決め方法であって、
前記筐体の内面に、リブからなる位置決め凸部を一体形成し、
当該位置決め凸部を、前記組込み部材に形成された位置決め凹部に嵌合させて、前記組込み部材を位置決めする
ことを特徴とする位置決め方法。
【請求項７】
前記位置決め凸部が、少なくとも二方向に連続するリブで形成されることを特徴とする請求項６記載の位置決め方法。
【請求項８】
前記位置決め凸部が、無端状に連続するリブで形成されることを特徴とする請求項６又は７記載の位置決め方法。
【請求項９】
前記位置決め凸部が、少なくとも前記組込み部材を前記筐体に固定するネジ固定部の近傍に配置されることを特徴とする請求項６〜８のいずれかに記載の位置決め方法。
【請求項１０】
前記リブの先端部に、前記位置決め凹部との嵌合をガイドする曲面又は斜面が形成されることを特徴とする請求項６〜９のいずれかに記載の位置決め方法。
【請求項１１】
組込み部材が組込まれる筐体であって、
前記組込み部材に形成された位置決め凹部との嵌合により、前記組込み部材を位置決めする位置決め凸部を一体に有し、当該位置決め凸部がリブで形成されることを特徴とする筐体。
【請求項１２】
前記位置決め凸部が、少なくとも二方向に連続するリブで形成されることを特徴とする請求項１１記載の筐体。
【請求項１３】
前記位置決め凸部が、無端状に連続するリブで形成されることを特徴とする請求項１１又は１２記載の筐体。
【請求項１４】
前記位置決め凸部が、少なくとも前記組込み部材を前記筐体に固定するネジ固定部の近傍に配置されることを特徴とする請求項１１〜１３のいずれかに記載の筐体。
【請求項１５】
前記リブの先端部に、前記位置決め凹部との嵌合をガイドする曲面又は斜面が形成されることを特徴とする請求項１１〜１４のいずれかに記載の筐体。
【請求項１６】
内蔵フレームが組込まれる筐体を備える携帯通信端末であって、
前記内蔵フレームに形成される位置決め凹部と、
前記筐体の内面に一体形成され、前記位置決め凹部との嵌合により前記内蔵フレームを位置決めする位置決め凸部とを有し、
当該位置決め凸部がリブで形成される
ことを特徴とする携帯通信端末。
【請求項１７】
前記位置決め凸部が、少なくとも二方向に連続するリブで形成されることを特徴とする請求項１６記載の携帯通信端末。
【請求項１８】
前記位置決め凸部が、無端状に連続するリブで形成されることを特徴とする請求項１６又は１７記載の携帯通信端末。
【請求項１９】
前記位置決め凸部が、少なくとも前記内蔵フレームを前記筐体に固定するネジ固定部の近傍に配置されることを特徴とする請求項１６〜１８のいずれかに記載の携帯通信端末。
【請求項２０】
前記リブの先端部に、前記位置決め凹部との嵌合をガイドする曲面又は斜面が形成されることを特徴とする請求項１６〜１９のいずれかに記載の携帯通信端末。
【発明の詳細な説明】
【技術分野】
【０００１】
本発明は、携帯通信端末などに適用される位置決め構造及び位置決め方法に関し、更には、上記の位置決め構造を適用した筐体及び携帯通信端末に関する。
【背景技術】
【０００２】
筐体に部材を組込む際、組込み部材を筐体で位置決めすることが一般的に行われている（例えば、特許文献１、２参照）。
しかしながら、特許文献１、２に記載のものでは、筐体と組込み部材との間に緩衝部材やパッキンを介在させているため、部品点数が増加し、コストアップをまねく可能性がある。
【０００３】
そこで、筐体の内面に一体形成した位置決め凸部と、組込み部材に形成した位置決め凹部との嵌合により、組込み部材の位置決めを行うことが提案される（例えば、特許文献３参照）。このような位置決め構造によれば、部品点数を増加させることなく、組込み部材を位置決めすることができる。
【０００４】
以下、携帯電話機（携帯通信端末）に適用された従来の位置決め構造について、図７を参照して説明する。
図７は、従来例に係る位置決め構造を示す携帯電話機の要部断面図であり、具体的には、折畳型携帯電話機における表示部の部分縦断面図である。
【０００５】
図７に示す折畳型携帯電話機の表示部は、筐体１００を構成する上下のカバー１０１、１０２と、上カバー１０１の表示窓１０１ａに嵌め込まれる透明パネル１０３と、下カバー１０２を覆う化粧パネル１０４とにより外観が構成されている。また、筐体１００の内部には、文字などを表示する表示パネル１０５と、表示パネル１０５を背面から照らす照光ユニット１０６と、これらを保持する内蔵フレーム１０７とが組込まれている。
【０００６】
内蔵フレーム１０７の位置決めは、内蔵フレーム１０７に形成される位置決め凹部１０７ａと、上カバー１０１の内面に一体形成される位置決め凸部１０１ｂとの嵌合によって行われる。そして、図７に示す例では、上カバー１０１と下カバー１０２を固定するネジ１０８によって、内蔵フレーム１０７が共締め状に固定される。
【特許文献１】特開平１１−３３１３３３号公報
【特許文献２】特開２０００−２２３８５８号公報
【特許文献３】特開平０４−３４４１１２号公報
【発明の開示】
【発明が解決しようとする課題】
【０００７】
ところで、図７に示す携帯電話機においては、落下などの衝撃で筐体１００や内蔵フレーム１０７が変形すると、位置決め凸部１０１ｂに応力が集中するため、位置決め凸部１０１ｂには、応力集中に耐えうる強度を付与することが好ましい。
【０００８】
しかしながら、位置決め凸部１０１ｂを大きくすると、筐体１００の成型に際し、ヒケなどの外観不良が生じやすくなるため、位置決め凸部１０１ｂに十分な強度を付与することが難しく、その結果、落下などの衝撃で位置決め凸部１０１ｂが破壊される可能性があった。
【０００９】
なお、図８に示すように、固定ボス１０２ａの外周を利用して、内蔵フレーム１０７の位置決めを行うことも考えられるが、この場合には、ネジ１０８の締付けによる固定ボス１０２ａの膨らみを考慮する必要があるため、位置決め精度に限界があった。
【００１０】
本発明は、上記の事情にかんがみなされたものであり、筐体の内面に位置決め凸部を一体形成するものでありながら、筐体の成型時に外観不良を生じさせることなく、位置決め凸部の強度を高め、その結果、落下などの衝撃で位置決め凸部が破壊されるという不都合を解消できる位置決め構造、位置決め方法、筐体及び携帯通信端末の提供を目的とする。
【課題を解決するための手段】
【００１１】
上記目的を達成するため本発明の位置決め構造は、筐体に組み込まれる組込み部材を、前記筐体に対して位置決めするための位置決め構造であって、前記組込み部材に形成される位置決め凹部と、前記筐体の内面に一体形成され、前記位置決め凹部との嵌合により前記組込み部材を位置決めする位置決め凸部とを有し、当該位置決め凸部がリブで形成される構成としてある。
このように構成すれば、筐体の内面に位置決め凸部を一体形成するものであっても、筐体に外観不良を生じさせることなく、位置決め凸部の強度を高めることが可能になる。これにより、位置決め凸部に応力集中に耐えうる強度を付与し、落下などによる位置決め凸部の破壊を防止することができる。
【００１２】
また、本発明の位置決め構造は、前記位置決め凸部が、少なくとも二方向に連続するリブで形成される構成としてある。
このように構成すれば、位置決め凸部を、中空四角形、中空三角形、中空円形、十字形、Ｘ字形、Ｌ字形、コの字形、Ｃ字形などのリブ形状とし、その強度を高めることができる。
【００１３】
また、本発明の位置決め構造は、前記位置決め凸部が、無端状に連続するリブで形成される構成としてある。
このように構成すれば、位置決め凸部を、中空四角形、中空三角形、中空円形などのリブ形状とし、その強度を更に高めることができる。
【００１４】
また、本発明の位置決め構造は、前記位置決め凸部が、少なくとも前記組込み部材を前記筐体に固定するネジ固定部の近傍に配置される構成としてある。
このように構成すれば、落下などの衝撃を受けた際に、位置決め凸部への応力集中を緩和させることができる。また、筐体のネジ固定部と、組込み部材のネジ固定部を精度良く位置合せすることができるので、締め付け時にネジが斜めになったり、ネジの締め付け力が位置決め凸部に作用して、位置決め凸部が破断する不都合も解消することができる。
【００１５】
また、本発明の位置決め構造は、前記リブの先端部に、前記位置決め凹部との嵌合をガイドする曲面又は斜面が形成される構成としてある。
このように構成すれば、位置決め凹部と位置決め凸部の嵌合が容易になるので、組立性を向上させることができる。
【００１６】
また、本発明の位置決め方法は、筐体に組み込まれる組込み部材を、前記筐体に対して位置決めするための位置決め方法であって、前記筐体の内面に、リブからなる位置決め凸部を一体形成し、当該位置決め凸部を、前記組込み部材に形成された位置決め凹部に嵌合させて、前記組込み部材を位置決めする方法としてある。
このような方法にすれば、筐体の内面に位置決め凸部を一体形成するものであっても、筐体に外観不良を生じさせることなく、位置決め凸部の強度を高めることが可能になる。これにより、位置決め凸部に応力集中に耐えうる強度を付与し、落下などによる位置決め凸部の破壊を防止することができる。
【００１７】
また、本発明の位置決め方法は、前記位置決め凸部が、少なくとも二方向に連続するリブで形成される方法としてある。
このような方法にすれば、位置決め凸部を、中空四角形、中空三角形、中空円形、十字形、Ｘ字形、Ｌ字形、コの字形、Ｃ字形などのリブ形状とし、その強度を高めることができる。
【００１８】
また、本発明の位置決め方法は、前記位置決め凸部が、無端状に連続するリブで形成される方法としてある。
このような方法にすれば、位置決め凸部を、中空四角形、中空三角形、中空円形などのリブ形状とし、その強度を更に高めることができる。
【００１９】
また、本発明の位置決め方法は、前記位置決め凸部が、少なくとも前記組込み部材を前記筐体に固定するネジ固定部の近傍に配置される方法としてある。
このような方法にすれば、落下などの衝撃を受けた際に、位置決め凸部への応力集中を緩和させることができる。また、筐体のネジ固定部と、組込み部材のネジ固定部を精度良く位置合せすることができるので、締め付け時にネジが斜めになったり、ネジの締め付け力が位置決め凸部に作用して、位置決め凸部が破断する不都合も解消することができる。
【００２０】
また、本発明の位置決め方法は、前記リブの先端部に、前記位置決め凹部との嵌合をガイドする曲面又は斜面が形成される方法としてある。
このような方法にすれば、位置決め凹部と位置決め凸部の嵌合が容易になるので、組立性を向上させることができる。
【００２１】
また、本発明の筐体は、組込み部材が組込まれる筐体であって、前記組込み部材に形成された位置決め凹部との嵌合により、前記組込み部材を位置決めする位置決め凸部を一体に有し、当該位置決め凸部がリブで形成される構成としてある。
このように構成すれば、内面に位置決め凸部が一体形成される筐体において、外観不良を生じることなく、位置決め凸部の強度を高めることが可能になる。これにより、位置決め凸部に応力集中に耐えうる強度を付与し、落下などによる位置決め凸部の破壊を防止することができる。
【００２２】
また、本発明の筐体は、前記位置決め凸部が、少なくとも二方向に連続するリブで形成される構成としてある。
このように構成すれば、位置決め凸部を、中空四角形、中空三角形、中空円形、十字形、Ｘ字形、Ｌ字形、コの字形、Ｃ字形などのリブ形状とし、その強度を高めることができる。
【００２３】
また、本発明の筐体は、前記位置決め凸部が、無端状に連続するリブで形成される構成としてある。
このように構成すれば、位置決め凸部を、中空四角形、中空三角形、中空円形などのリブ形状とし、その強度を更に高めることができる。
【００２４】
また、本発明の筐体は、前記位置決め凸部が、少なくとも前記組込み部材を前記筐体に固定するネジ固定部の近傍に配置される構成としてある。
このように構成すれば、落下などの衝撃を受けた際に、位置決め凸部への応力集中を緩和させることができる。また、筐体のネジ固定部と、組込み部材のネジ固定部を精度良く位置合せすることができるので、締め付け時にネジが斜めになったり、ネジの締め付け力が位置決め凸部に作用して、位置決め凸部が破断する不都合も解消することができる。
【００２５】
また、本発明の筐体は、前記リブの先端部に、前記位置決め凹部との嵌合をガイドする曲面又は斜面が形成される構成としてある。
このように構成すれば、位置決め凹部と位置決め凸部の嵌合が容易になるので、組立性を向上させることができる。
【００２６】
また、本発明の携帯通信端末は、内蔵フレームが組込まれる筐体を備える携帯通信端末であって、前記内蔵フレームに形成される位置決め凹部と、前記筐体の内面に一体形成され、前記位置決め凹部との嵌合により前記内蔵フレームを位置決めする位置決め凸部とを有し、当該位置決め凸部がリブで形成される構成としてある。
このように構成すれば、筐体の内面に位置決め凸部を一体形成するものであっても、筐体に外観不良を生じさせることなく、位置決め凸部の強度を高めることが可能になる。これにより、位置決め凸部に応力集中に耐えうる強度を付与し、落下などによる位置決め凸部の破壊を防止することができる。
【００２７】
また、本発明の携帯通信端末は、前記位置決め凸部が、少なくとも二方向に連続するリブで形成される構成としてある。
このように構成すれば、位置決め凸部を、中空四角形、中空三角形、中空円形、十字形、Ｘ字形、Ｌ字形、コの字形、Ｃ字形などのリブ形状とし、その強度を高めることができる。
【００２８】
また、本発明の携帯通信端末は、前記位置決め凸部が、無端状に連続するリブで形成される構成としてある。
このように構成すれば、位置決め凸部を、中空四角形、中空三角形、中空円形などのリブ形状とし、その強度を更に高めることができる。
【００２９】
また、本発明の携帯通信端末は、前記位置決め凸部が、少なくとも前記内蔵フレームを前記筐体に固定するネジ固定部の近傍に配置される構成としてある。
このように構成すれば、落下などの衝撃を受けた際に、位置決め凸部への応力集中を緩和させることができる。また、筐体のネジ固定部と、内蔵フレームのネジ固定部を精度良く位置合せすることができるので、締め付け時にネジが斜めになったり、ネジの締め付け力が位置決め凸部に作用して、位置決め凸部が破断する不都合も解消することができる。
【００３０】
また、本発明の携帯通信端末は、前記リブの先端部に、前記位置決め凹部との嵌合をガイドする曲面又は斜面が形成される構成としてある。
このように構成すれば、位置決め凹部と位置決め凸部の嵌合が容易になるので、携帯通信端末の組立性を向上させることができる。
【発明の効果】
【００３１】
以上のように、本発明によれば、筐体の内面に位置決め凸部を一体形成するものでありながら、筐体に外観不良を生じさせることなく、位置決め凸部の強度を高めることができる。その結果、応力集中に耐えうる強度を位置決め凸部に付与し、落下などの衝撃による位置決め凸部の破断を防止できる。
【発明を実施するための最良の形態】
【００３２】
以下、本発明の位置決め構造（位置決め方法）が適用された携帯電話機（携帯通信端末）について、図１〜図６を参照して説明する。
図１は、携帯電話機の斜視図、図２は、表示部の分解斜視図、図３は、上カバー及び内蔵フレームの要部分解斜視図、図４は、表示部の要部分解斜視図、図５は、表示部のＡ−Ａ断面図、図６は、位置決め凸部の各種実施形態を示す説明図である。
【００３３】
図１に示すように、本実施形態の携帯電話機は、ヒンジ部１０を介して、操作部（本体）２０と表示部３０を折畳み自在に連結して構成されている。
図２に示すように、表示部３０は、筐体３１を構成する上下のカバー３２、３３と、上カバー３２の表示窓３２ａに嵌め込まれる透明パネル３４と、下カバー３３を覆う化粧パネル３５とにより外観が構成されている。また、筐体３１の内部には、文字などを表示する表示パネル３６と、表示パネル３６を背面から照らす照光ユニット３７と、これらを保持する内蔵フレーム３８とが組込まれている。
【００３４】
図２〜図５に示すように、表示部３０には、複数のネジ固定部Ｂが形成されている。各ネジ固定部Ｂは、上カバー３２に形成されるネジ挿通孔３２ｂと、内蔵フレーム３８に形成されるネジ挿通孔３８ａと、下カバー３３に形成される固定ボス３３ａと、ネジ３９とから構成される。すなわち、上カバー３２及び内蔵フレーム３８のネジ挿通孔３２ｂ、３８ａに挿通したネジ３９を、下カバー３３の固定ボス３３ａにねじ込むことにより、上カバー３２と下カバー３３が固定されるとともに、上カバー３２と下カバー３３の間で内蔵フレーム３８が共締め状に固定されるようにしてある。
なお、表示部３０の組立時においては、まず、上カバー３２に内蔵フレーム３８を組み込んだ後、下カバー３３を嵌合し、最後にネジ３８の締付けを行う。
【００３５】
上カバー３２と下カバー３３の位置決めは、上カバー３２の外端部内面に一体形成される凹部３２ｃと、下カバー３３の外端部内面に一体形成される凸部３３ｂの嵌合により行われる。また、下カバー３３と内蔵フレーム３８の位置決めは、下カバー３３の固定ボス３３ａと、内蔵フレーム３８に一体形成される下向きの凹部３８ｂとの嵌合により行われる。更に、上カバー３２と内蔵フレーム３８の位置決めは、上カバー３２の内面に一体形成される位置決め凸部３２ｄと、内蔵フレーム３８に一体形成される上向きの凹部３８ｃとの嵌合により行われる。
本発明は、位置決め凸部３２ｄの形状及び配置に特徴を有しており、以下、位置決め凸部３２ｄについて詳細に説明する。
【００３６】
図５及び図６に示すように、位置決め凸部３２ｄは、中実状のピン形状ではなく、所定方向に連続性をもったリブ形状としてある。例えば、図６の（ａ）に示すような中空箱形（中空四角形）とする。位置決め凸部３２ｄをこのような形状にすると、上カバー３２の成形に際してヒケなどの外観不良を抑えつつ、位置決め凸部３２ｄの強度を高めることができ、その結果、位置決め凸部３２ｄに応力集中に耐えうる強度を付与し、落下などによる位置決め凸部３２ｄの破断を防止することが可能となる。
【００３７】
位置決め凸部３２ｄは、少なくとも二方向に連続するリブで形成されることが好ましい。例えば、図６の（ａ）に示す中空四角形、図６の（ｂ）に示す中空三角形、図６の（ｃ）に示す中空円形、図６の（ｄ）に示す十字形（Ｘ字形）、図６の（ｅ）に示すＬ字形、図６の（ｆ）に示すコの字形、図６の（ｇ）に示すＣ字形、図６の（ｈ）に示すＬ字形の組み合わせなどが挙げられる。位置決め凸部３２ｄの断面をこのような形状にすると、大きな断面二次モーメントが得られ、位置決め凸部３２ｄの強度が高められる。
【００３８】
更に、位置決め凸部３２ｄは、無端状に連続するリブで形成されることが好ましい。例えば、図６の（ａ）に示す中空四角形、図６の（ｂ）に示す中空三角形、図６の（ｃ）に示す中空円形などが挙げられる。位置決め凸部３２ｄの断面をこのような形状にすると、断面二次モーメントが更に増加し、位置決め凸部３２ｄの強度が高められる。
【００３９】
また、位置決め凸部３２ｄを構成するリブの先端部には、位置決め凹部３８ｃとの嵌合をガイドする曲面又は斜面（面取り）が形成されることが好ましい。このようにすると、位置決め凹部３８ｃと位置決め凸部３２ｄの嵌合が容易になり、表示部３０の組立性を向上させることができる。
【００４０】
なお、位置決め凹部３８ｃの形状は、位置決め凸部３２ｄと嵌合するものであれば特に制限はない。例えば、図６の（ａ）〜（ｃ）に示すように、位置決め凸部３２ｄの外形全体に沿う形状でもよいし、図６の（ｄ）〜（ｈ）に示すように、位置決め凸部３２ｄの外形に対して部分的に沿う形状であってもよい。
【００４１】
また、位置決め凸部３２ｄは、前記ネジ固定部Ｂの近傍に配置されることが好ましい。位置決め凸部３２ｄをこのように配置すれば、落下などの衝撃で上カバー３２や内蔵フレーム３８が変形したとき、位置決め凸部３２ｄへの応力集中が緩和され、位置決め凸部３２ｄの破断を防止できる。
また、位置決め凸部３２ｄをネジ固定部Ｂの近傍に配置すると、上カバー３２のネジ挿通孔３２ｂと、内蔵フレーム３８のネジ挿通孔３８ａを精度良く位置合せすることができるので、締め付け時にネジ３９が斜めになって、締結が不完全になる不都合や、ネジ３９の締め付け力が位置決め凸部３２ｄに作用して、位置決め凸部３２ｄが破断する不都合を解消することができる。
【００４２】
以上のように構成された本実施形態の携帯電話機によれば、内蔵フレーム３８に形成される位置決め凹部３８ｃと、上カバー３２の内面に一体形成される位置決め凸部３２ｄとの嵌合によって、上カバー３２と内蔵フレーム３８の位置決めすを行うにあたり、位置決め凸部３２ｄをリブで形成したので、上カバー３２に外観不良を生じさせることなく、位置決め凸部３２ｄの強度を高めることが可能になる。これにより、位置決め凸部３２ｄに応力集中に耐えうる強度を付与し、落下などによる位置決め凸部３２ｄの破壊を防止することができる。
【００４３】
また、位置決め凸部３２ｄを、少なくとも二方向に連続するリブで形成した場合は、位置決め凸部３２ｄの断面形状を、中空四角形、中空三角形、中空円形、十字形、Ｘ字形、Ｌ字形、コの字形、Ｃ字形などとし、その強度を高めることができる。
【００４４】
また、位置決め凸部３２ｄを、無端状に連続するリブで形成した場合は、位置決め凸部３２ｄの断面形状を、中空四角形、中空三角形、中空円形などとし、その強度を更に高めることができる。
【００４５】
また、位置決め凸部３２ｄを、少なくとも内蔵フレーム３８を上カバー３２に固定するネジ固定部Ｂの近傍に配置した場合は、落下などの衝撃を受けた際に、位置決め凸部３２ｄへの応力集中を緩和させることができる。しかも、上カバー３２や内蔵フレームのネジ挿通孔３２ｂ、３８ａを精度良く位置合せすることができるので、締め付け時にネジ３９が斜めになったり、ネジ３９の締め付け力が位置決め凸部３２ｄに作用して、位置決め凸部３２が破断する不都合も解消することができる。
【００４６】
また、位置決め凸部３２ｄを構成するリブの先端部に、位置決め凹部３８ｃとの嵌合をガイドする曲面又は斜面を形成した場合は、位置決め凹部３８ｃと位置決め凸部３２ｄの嵌合を容易にして、携帯通信端末の組立性を向上させることができる。
【００４７】
なお、本発明は、前記実施形態に限定されない。
例えば、前記実施形態では、位置決め凸部を上カバーに形成し、固定ボスを下カバーに形成しているが、位置決め凸部及び固定ボスを同一カバーに形成してもよい。
また、前記実施形態では、ネジ固定部の内側近傍に位置決め凸部を配置しているが、ネジ固定部の左右近傍や外側近傍に位置決め凸部を配置してもよい。
また、前記実施形態では、上下カバー間で内蔵フレームを共締め固定しているが、上下いずれかのカバーに内蔵フレームをネジ固定してもよく、また、その近傍に位置決め凸部を配置することができる。
また、前記実施形態では、携帯電話機を例示したが、携帯電話機以外の携帯通信端末や、携帯通信端末以外の装置でも、本発明の位置決め構造（位置決め方法）が有用であることは言うまでもない。
【産業上の利用可能性】
【００４８】
本発明は、筐体の内面に一体形成した位置決め凸部と、組込み部材に形成した位置決め凹部との嵌合により、筐体と組込み部材の位置決めを行う機器に適用することができる。特に、落下などの衝撃を受ける可能性がある携帯通信端末において有用である。
【図面の簡単な説明】
【００４９】
【図１】携帯電話機の斜視図である。
【図２】表示部の分解斜視図である。
【図３】上カバー及び内蔵フレームの要部分解斜視図である。
【図４】表示部の要部分解斜視図である。
【図５】表示部のＡ−Ａ断面図である。
【図６】位置決め凸部の各種実施形態を示す説明図である。
【図７】従来例に係る位置決め構造を示す携帯電話機の要部断面図である。
【図８】従来例に係る位置決め構造を示す携帯電話機の要部断面図である。
【符号の説明】
【００５０】
３０  表示部
３２  上カバー
３２ｂ  ネジ挿通孔
３２ｄ  位置決め凸部
３３  下カバー
３３ａ  固定ボス
３６  表示パネル
３７  照光ユニット
３８  内蔵フレーム
３８ａ  ネジ挿通孔
３８ｃ  位置決め凹部
３９  ネジ
Ｂ  ネジ固定部
【図１】
2006086220.tif 000003
【図２】
2006086220.tif 000004
【図３】
2006086220.tif 000005
【図４】
2006086220.tif 000006
【図５】
2006086220.tif 000007
【図６】
2006086220.tif 000008
【図７】
2006086220.tif 000009
【図８】
2006086220.tif 000010